(57)【要約】【課題】電線ラックを容易に取り付けることができる電柱用バンドを提供する。【解決手段】バンド本体１１が、外側１１ａと内側１１ｂとを有し、長さ方向に間隔をあけて複数の係合孔２１を有している。第１留め具１２が、バンド本体１１の一端１１ｃに取り付けられた取付部２２と、バンド本体１１の外側１１ａより外方に取付部２２から立ち上がる第１突出部２３とを一体的に有している。第２留め具１３が、バンド本体１１を貫通する貫通孔２９を有している。第２留め具１３は、バンド本体１１の内側１１ｂでバンド本体１１を保持する保持部２６と、保持部２６から係合孔２１と係合可能に突出する爪部２７と、バンド本体１１の外側１１ａより外方に保持部２６から立ち上がる第２突出部２８とを一体的に有している。締付部材１４が、第１留め具１２と第２留め具１３とを、その間隔を調節して結合可能に設けられている。【選択図】図１
0003110970.tif 000002
【実用新案登録請求の範囲】
【請求項１】
バンド本体と第１留め具と第２留め具と締付部材とを有し、
前記バンド本体は外側と内側とを有し、長さ方向に間隔をあけて複数の係合孔を有し、
前記第１留め具は前記バンド本体の一端に取り付けられた取付部と、前記バンド本体の外側より外方に前記取付部から立ち上がる第１突出部とを一体的に有し、
前記第２留め具は前記バンド本体を貫通する貫通孔を有し、前記バンド本体の内側と重なる保持部と、前記保持部から前記係合孔と係合可能に突出する爪部と、前記保持部と重なるバンド本体の外側より外方に前記保持部から立ち上がる第２突出部とを一体的に有し、
前記締付部材は前記第１留め具と前記第２留め具とをその間隔を調節して結合可能に設けられていることを、
特徴とする電柱用バンド。
【請求項２】
引込部材を有し、
前記引込部材は板状であって、前記バンド本体の幅以上の長さを有し前記バンド本体と電柱との間に挟まれる支持部と、前記バンド本体の外側より外方に前記支持部の一端から突出する係合部と、引込線の取付孔を有し前記支持部の他端から前記バンド本体の外側より外方に前記係合部から離れる方向に傾斜して伸びる傾斜部とを一体的に有することを、
特徴とする請求項１記載の電柱用バンド。
【考案の詳細な説明】
【技術分野】
【０００１】
本考案は、電柱用バンドに関する。
【背景技術】
【０００２】
従来の電柱用バンドとして、両端側に透孔を列設したバンド本体の一端に第一締付金具を、他端に第二締付金具をそれぞれ設け、バンド本体の他端に設けた仮止片を適宜の透孔に係止させて仮止めした後、第二締付金具の緊締受片に貫通させた緊締ボルトを、第一締付金具のボルト貫通孔に貫通静止させて緊締ナットで締めることにより電柱に取り付けられるものがある（特許文献１参照）。
【０００３】
また、近年、電柱で複数の電線をまとめて支持するために、長さ方向に沿って複数の電線用碍子を一体的に有する電線ラックが開発されている。電線ラックは、バンド貫通孔にバンド本体を貫通させて、電柱用バンドにより電柱に取付可能に構成されている。
【０００４】
【特許文献１】実公平７−３３５４７号公報
【考案の開示】
【考案が解決しようとする課題】
【０００５】
しかしながら、特許文献１記載の電柱用バンドでは、仮止片がバンド本体から突出しているため、バンド本体を電線ラックのバンド貫通孔に貫通させることができず、電線ラックを取り付けることができないという課題があった。
【０００６】
本考案は、このような従来の課題に着目してなされたもので、電線ラックを容易に取り付けることができる電柱用バンドを提供することを目的とする。
【課題を解決するための手段】
【０００７】
上記目的を達成するために、本考案に係る電柱用バンドは、バンド本体と第１留め具と第２留め具と締付部材とを有し、前記バンド本体は外側と内側とを有し、長さ方向に間隔をあけて複数の係合孔を有し、前記第１留め具は前記バンド本体の一端に取り付けられた取付部と、前記バンド本体の外側より外方に前記取付部から立ち上がる第１突出部とを一体的に有し、前記第２留め具は前記バンド本体を貫通する貫通孔を有し、前記バンド本体の内側と重なる保持部と、前記保持部から前記係合孔と係合可能に突出する爪部と、前記保持部と重なるバンド本体の外側より外方に前記保持部から立ち上がる第２突出部とを一体的に有し、前記締付部材は前記第１留め具と前記第２留め具とをその間隔を調節して結合可能に設けられていることを、特徴とする。
【０００８】
本考案に係る電柱用バンドは、以下のようにして電柱に取り付けられる。まず、バンド本体の内側を電柱に向けて、バンド本体を電柱に巻き付ける。このとき、電柱を一周したバンド本体の上に第１留め具を重ねる。第２留め具の保持部の爪部をバンド本体の係合孔に係合させる。締付部材により第１留め具と第２留め具とを結合し、その間隔を狭めるよう締め付ける。こうして、電柱にしっかりと取り付けることができる。
【０００９】
また、電線ラックを取り付ける場合、バンド本体を第２留め具の貫通孔に貫通させる前に、電線ラックのバンド貫通孔に貫通させておく。このとき、バンド本体には仮止片がないため、バンド本体を電線ラックのバンド貫通孔に容易に貫通させることができる。こうして、本考案に係る電柱用バンドに電線ラックを取り付けることができる。
【００１０】
本考案に係る電柱用バンドは、電柱に取り付けられたとき、保持部がバンド本体と電柱との間に挟まれて締め付けられるため、保持部の爪部がバンド本体の係合孔から外れにくい。なお、爪部は、貫通孔の方向に傾斜して突出していることが好ましい。この場合、バンド本体を締め付ける際に、爪部がじゃまになるのを防ぎ、バンド本体を容易に締め付けることができる。本考案に係る電柱用バンドは、取り付けるときに仮止めを要しないため、作業性に優れ、作業時間を短縮することができる。
【００１１】
本考案に係る電柱用バンドは、引込部材を有し、前記引込部材は板状であって、前記バンド本体の幅以上の長さを有し前記バンド本体と電柱との間に挟まれる支持部と、前記バンド本体の外側より外方に前記支持部の一端から突出する係合部と、引込線の取付孔を有し前記支持部の他端から前記バンド本体の外側より外方に前記係合部から離れる方向に傾斜して伸びる傾斜部とを一体的に有していてもよい。この引込部材を有する構成で、引込部材は、バンド本体と電柱との間への取付けが容易であり、また、締付部材を緩めることにより取り外しが容易である。
【考案の効果】
【００１２】
本考案によれば、電線ラックを容易に取り付けることができる電柱用バンドを提供することができる。
【考案を実施するための最良の形態】
【００１３】
以下、図面に基づき本考案の実施の形態について説明する。
図１乃至図６は、本考案の実施の形態の電柱用バンドを示している。
図１乃至図２に示すように、電柱用バンド１０は、バンド本体１１と第１留め具１２と第２留め具１３と締付部材１４と引込部材１５とを有している。
【００１４】
図１に示すように、バンド本体１１は、金属製の折り曲げ可能な細長い板材から成っている。バンド本体１１は、外側１１ａと内側１１ｂとを有し、外側１１ａから内側１１ｂに貫通する複数の矩形の係合孔２１を有している。係合孔２１は、バンド本体１１の長さ方向に等間隔で一端１１ｃから他端１１ｄまで設けられている。バンド本体１１は、一端１１ｃに固定孔１１ｅを有している。
【００１５】
図１に示すように、第１留め具１２は、金属製で、取付部２２と第１突出部２３とを一体的に有している。取付部２２は、外側面２２ａと内側面２２ｂとを有し、バンド本体１１の幅よりやや大きい幅を有している。取付部２２は、一端２２ｃ寄りの位置に取付孔２２ｄを有している。また、取付部２２は、両縁部に内側面２２ｂから直角に立ち上がるガイド壁２２ｅを有している。
【００１６】
第１突出部２３は、厚さ方向に貫通した第１締付孔２３ａを中央に有している。第１突出部２３は、取付部２２にバンド本体１１を取り付けたときバンド本体１１の外側１１ａより外方に立ち上がるよう、取付部２２の外側面２２ａから１２０度位の角度で他端２２ｆから立ち上がっている。第１突出部２３は、ガイド壁２２ｅと連続する側壁２３ｂを両縁部に有している。第１留め具１２は、取付部２２の内側面２２ｂにバンド本体１１の一端１１ｃを重ねて固定孔１１ｅと取付孔２２ｄとにバンド本体１１側から丸頭ボルト２４を挿入し、第１留め具１２側でナット２５を丸頭ボルト２４に締め付けることにより、バンド本体１１の一端１１ｃに固定されている。
【００１７】
図１に示すように、第２留め具１３は、金属製で、保持部２６と１対の爪部２７と第２突出部２８とを一体的に有し、バンド本体１１を貫通する貫通孔２９を有している。保持部２６は、バンド本体１１の幅よりやや大きい幅を有している。保持部２６は、両縁部に外側面２６ａから直角に立ち上がるガイド壁２６ｂを有している。保持部２６は、バンド本体１１の内側１１ｂと重なってバンド本体１１を保持するようになっている。
【００１８】
各爪部２７は、バンド本体１１の係合孔２１と係合可能に、保持部２６の外側面２６ａから保持部２６の一端２６ｃに向かって傾斜して突出して形成されている。各爪部２７は、バンド本体１１の係合孔２１の間隔と同じ間隔で、保持部２６の長さ方向に沿って並んで形成されている。第２突出部２８は、ガイド壁２６ｂと連続する側壁２８ａを両縁部に有している。第２突出部２８は、保持部２６との間に貫通孔２９を挟み、保持部２６と重なるバンド本体１１の外側１１ａより外方に立ち上がるよう、保持部２６の外側面２６ａから１２０度位の角度で立ち上がっている。第２突出部２８は、厚さ方向に貫通した第２締付孔２８ｂを中央に有している。
【００１９】
図１に示すように、締付部材１４は、丸頭ボルト３０と六角ナット３１とから成っている。締付部材１４は、丸頭ボルト３０を第２突出部２８の第２締付孔２８ｂと第１突出部２３の第１締付孔２３ａとに挿入し、丸頭ボルト３０に六角ナット３１を締め付けることにより、第１留め具１２と第２留め具１３とをその間隔を調節して結合可能となっている。
【００２０】
図２に示すように、引込部材１５は、金属板から成り、支持部３２と係合部３３と傾斜部３４とを一体的に有している。支持部３２は、バンド本体１１の幅よりやや長くなっており、バンド本体１１と電柱１との間に挟まれる部分である。係合部３３は、支持部３２の一端３２ａから伸び、片面３２ｂに対し垂直に設けられている。傾斜部３４は、支持部３２の他端３２ｃから伸び、片面３２ｂに対し１２０度位の角度をなしている。傾斜部３４は、先端付近に厚さ方向に貫通した引込線用の取付孔３４ａを有している。
【００２１】
引込部材１５は、支持部３２で片面３２ｂをバンド本体１１の内側１１ｂに向けてバンド本体１１と電柱１との間に挟まれる。このとき、係合部３３は、バンド本体１１の外側１１ａより外方に支持部３２の一端３２ａから突出する。傾斜部３４は、バンド本体１１の外側１１ａより外方に係合部３３から離れる方向に傾斜して伸びる。
【００２２】
図３に示すように、電線ラック２は、絶縁性で、長さ方向に沿って複数、例えば４個の電線用碍子３を一体的に有している。各電線用碍子３は、電線や引込線などを引っ掛けるためのフック３ａと、電線や引込線などを取り付けるための支持孔３ｂと、バンド本体１１を貫通可能なバンド貫通孔３ｃとを有している。
【００２３】
次に、作用について説明する。
電柱用バンド１０は、以下のようにして電柱１に取り付けられる。図４に示すように、まず、バンド本体１１の内側１１ｂを電柱１に向けて、バンド本体１１を電柱１に巻き付ける。このとき、第２留め具１３の保持部２６の外側面２６ａ側からバンド本体１１を貫通孔２９に貫通させ、電柱１を一周したバンド本体１１の上に第１留め具１２を重ねる。第２留め具１３の保持部２６の各爪部２７をバンド本体１１の係合孔２１に係合させる。締付部材１４により第１留め具１２と第２留め具１３とを結合し、その間隔を狭めるよう締め付ける。こうして、電柱１にしっかりと取り付けることができる。
【００２４】
図５に示すように、電線ラック２を取り付ける場合、バンド本体１１を第２留め具１３の貫通孔２９に貫通させる前に、各電線用碍子３のフック３ａおよび支持孔３ｂを電柱１の反対側に向けて、バンド本体１１を電線ラック２のバンド貫通孔３ｃに貫通させておく。このとき、バンド本体１１には仮止片などの突起物がないため、バンド本体１１を電線ラック２のバンド貫通孔３ｃに容易に貫通させることができる。こうして、電柱用バンド１０に電線ラック２を取り付けることができる。
【００２５】
図６に示すように、電柱用バンド１０は、引込部材１５を電柱１に取り付けることができる。このとき、引込部材１５の片面３２ｂをバンド本体１１の内側１１ｂに向けて、支持部３２をバンド本体１１と電柱１との間に挟む。これにより、引込部材１５を容易に電柱１に取り付けることができる。締付部材１４を緩めれば、バンド本体１１と電柱１との間から引込部材１５を容易に取り外すことができる。
【００２６】
電柱用バンド１０は、電柱１に取り付けられたとき、保持部２６がバンド本体１１と電柱１との間に挟まれて締め付けられるため、保持部２６の各爪部２７がバンド本体１１の係合孔２１から外れにくい。また、各爪部２７が貫通孔２９の方向に傾斜して突出しているので、バンド本体１１を締め付ける際に、各爪部２７がじゃまになるのを防ぐことができる。このため、バンド本体１１を第２留め具１３に対して締め付ける方向に移動させ、バンド本体１１を容易に電柱１に締め付けることができる。電柱用バンド１０は、取り付けるときに仮止めを要しないため、作業性に優れ、作業時間を短縮することができる。
【図面の簡単な説明】
【００２７】
【図１】本考案の実施の形態の電柱用バンドを示す（ａ）底面図、（ｂ）正面図、（ｃ）Ａ−Ａ’線の一部拡大断面図である。
【図２】図１に示す電柱用バンドの引込部材を示す（ａ）左側面図、（ｂ）正面図である。
【図３】電線ラックを示す左側面図である。
【図４】図１に示す電柱用バンドの使用状態を示す（ａ）平面図、（ｂ）正面図である。
【図５】図１に示す電柱用バンドの電線ラックを取り付けた使用状態を示す（ａ）平面図、（ｂ）左側面図である。
【図６】図１に示す電柱用バンドの引込部材および電線ラックを取り付けた使用状態を示す（ａ）平面図、（ｂ）正面図である。
【符号の説明】
【００２８】
１    電柱
２    電線ラック
３    電線用碍子
１０  電柱用バンド
１１  バンド本体
１２  第１留め具
１３  第２留め具
１４  締付部材
１５  引込部材
２１  係合孔
２２  取付部
２３  第１突出部
２３ａ  第１締付孔
２６  保持部
２７  爪部
２８  第２突出部
２８ｂ  第２締付孔
２９  貫通孔
３２  支持部
３３  係合部
３４  傾斜部
【図１】
0003110970.tif 000003
【図２】
0003110970.tif 000004
【図３】
0003110970.tif 000005
【図４】
0003110970.tif 000006
【図５】
0003110970.tif 000007
【図６】
0003110970.tif 000008